(57)【要約】      （修正有）【課題】紙類の折畳み操作によって携帯通信装置の収納部を構成するとともに、メモ書き等の機能を兼ね備えた携帯通信装置のケースを提供する。【解決手段】携帯通信装置のケース１は、ケース本体２と、ケース本体の側方から、ケース本体に被さるように一体的に設けられた蓋体３と、ケース本体と蓋体との間に、ケース本体及び蓋体と一体的に設けられた連結部４とを備え、ケース本体、蓋体、及び連結部は紙類から形成され、それらの間に設けられた第１の折れ線及び第２の折れ線を介して順次連続して折り曲げ形成されている。蓋体の内側面に蓋体の延長部が折り返され接着固定されて補強部が形成されることが好ましい。【選択図】図１
0003201721.tif 000002
【実用新案登録請求の範囲】
【請求項１】
紙製のケース本体と、
前記ケース本体の側方から、ケース本体に被さるように一体的に設けられた紙製の蓋体と、
前記ケース本体と蓋体との間に、前記ケース本体及び蓋体と一体的に設けられた紙製の連結部とを備えて成り、
前記ケース本体、連結部、及び蓋体は、第１の折れ線及び第２の折れ線を介して順次連続して形成されている、
ことを特徴とする携帯通信装置のケース。
【請求項２】
前記蓋体は前記連結部とは反対側の側方に延びる紙製の延長部を有し、この延長部は、蓋体の内側面に向けて折り返され接着固定されて補強部を形成することを特徴とする請求項１記載の携帯通信装置のケース。
【請求項３】
紙製の背面部と、この背面部に対向し且つ背面部と一体的に設けられた紙製の表面部とから形成されたケース本体と、
前記背面部の上縁から上方側に延びて一体的に設けられ、前記ケース本体の方側方から、ケース本体に被さるように一体的に設けられた紙製の蓋体と、
前記ケース本体と蓋体との間に、前記ケース本体及び蓋体と一体的に設けられた紙製の連結部とを備えて成り、
前記ケース本体、連結部、及び蓋体は、第３の折れ線及び第４の折れ線を介して順次連続して形成されている、
ことを特徴とする携帯通信装置のケース。
【考案の詳細な説明】
【技術分野】
【０００１】
本考案は、携帯通信装置のケース、特に素材として紙類を使用し、手触りの向上と、自然環境への負荷の軽減を図った携帯通信装置のケースに関するものである。
【背景技術】
【０００２】
従来、携帯電話、スマートフォン等の携帯通信装置は、機体そのものをバッグやカバン、或いは衣服のポケットに入れるか、又はループ状の紐を機体に取り付けて首から下げるかによって利用者に使用されることが通常となっている。また、携帯電話を収納するケースについての提案が従来においてなされているが、その事例としては例えば特許文献１に示されたものがある。
【０００３】
この携帯電話ケースは、携帯電話の収容部を有するケース本体の、収容部の中にスプリングにより移動される携帯情報端末支持台と、保護カバーに設けられた板ばねにより携帯電話を密着固定することにより大きさや暑さなどが異なる携帯電話を収容するようにしている。
【先行技術文献】
【特許文献】
【０００４】
【特許文献１】特開２０１４−３９８２１号公報
【考案の概要】
【考案が解決しようとする課題】
【０００５】
しかしながら、上述した携帯電話ケースにあっては、ケース内に携帯電話を保持するためにバネ機構を使用しており、構成が複雑になる上、その機能を発揮するためには、材料として金属を使用するのが一般的である。したがって、コストが増大し、且つ材料についても高価なものを使用することになる、という不具合があった。
【０００６】
本考案は、上述したような事情に鑑みてなされたものであり、その目的は、紙類の折畳み操作によって収納部を構成するとともに、メモ書き等の機能を兼ね備えた携帯通信装置のケースを提供することにある。
【課題を解決するための手段】
【０００７】
請求項１記載の考案は、紙製のケース本体と、前記ケース本体の側方から、ケース本体に被さるように一体的に設けられた紙製の蓋体と、前記ケース本体と蓋体との間に、前記ケース本体及び蓋体と一体的に設けられた紙製の連結部とを備えて成り、前記ケース本体、連結部、及び蓋体は、第１の折れ線及び第２の折れ線を介して順次連続して形成されている、ことを特徴とする。
【０００８】
この構成によれば、予め決められた形状の紙基材を一定の手順により折りたたむことにより簡易に携帯通信装置のケースが製作でき、また、材質が紙であることから、環境に負担がかからない携帯通信装置のケースとすることができる。また、蓋体の裏面にはメモ用紙や栞部片を取り付けておくことにより、書類や書籍の目印として使用することができる。
【０００９】
本考案はまた、前記蓋体は前記連結部とは反対側の側方に延びる紙製の延長部を有し、この延長部は、蓋体の内側面に向けて折り返され接着固定されて補強部を形成することを要旨とする。これにより、携帯通信装置のケースの強度を向上させ、携帯通信装置の保護を確実にすることが可能となる。
【００１０】
本考案はまた、紙製の背面部と、この背面部に対向し且つ背面部と一体的に設けられた紙製の表面部とから形成されたケース本体と、前記背面部の上縁から上方側に延びて一体的に設けられ、前記ケース本体の方側方から、ケース本体に被さるように一体的に設けられた紙製の蓋体と、前記ケース本体と蓋体との間に、前記ケース本体及び蓋体と一体的に設けられた紙製の連結部とを備えて成り、前記ケース本体、連結部、及び蓋体は、第３の折れ線及び第４の折れ線を介して順次連続して形成されている、ことを特徴とする。
【００１１】
この構成によっても、予め決められた形状の紙基材を一定の手順により折りたたむことにより簡易に携帯通信装置のケースが製作でき、また、材質が紙であることから、環境に負担がかからない携帯通信装置のケースとすることができる。また、蓋体の裏面にはメモ用紙や栞部片を取り付けておくことにより、書類や書籍の目印として使用することができる。
【考案の効果】
【００１２】
本考案によれば、予め決められた形状の紙基材を一定の手順により折りたたむことにより簡易に携帯通信装置のケースが製作でき、また、材質が紙であることから、環境に負担がかからない携帯通信装置のケースとすることができる。また、蓋体の裏面にはメモ用紙や栞部片を取り付けておくことにより、書類や書籍の目印として使用することができる。
【図面の簡単な説明】
【００１３】
【図１】本考案の第１の実施の形態に係る携帯通信装置のケースの斜視図である。
【図２】上記実施の形態に係る携帯通信装置のケースを製作するための紙基材を示す展開図である。
【図３】本考案の第２の実施の形態に係る携帯通信装置のケースの斜視図である。
【図４】上記第２の実施の形態に係る携帯通信装置のケースを製作するための紙基材を示す展開図である。
【図５】上記第２の実施の形態に係る携帯通信装置のケースを製作するための紙基材の別の例を示す展開図である。
【考案を実施するための形態】
【００１４】
図１は、本考案が適用された携帯通信装置の第１の実施の形態の外観斜視図である。なお、携帯通信装置としては携帯電話、スマートフォン等各種モバイル機器があるが、以下の実施の形態の説明においては携帯電話ケースを例として説明する。図１において符号１は本第１の実施の形態に係る携帯電話ケースを示す。この携帯電話ケース１は、ケース本体２と、ケース本体２の側方（図１では右側方）にケース本体２と一体的に設けられた蓋体３と、ケース本体２と蓋体３との間に所定の厚さ空間を形成する連結部４とを備えて成る。ケース本体２、蓋体３、及び連結部４はボール紙、クラフト紙等の紙類から形成され、この紙類を折り畳み成形することにより携帯電話ケース１が作られる。ケース本体２の内面には携帯電話を保持するためのホルダー部材５が接着その他の方法により取り付けられている。ホルダー部材５には透明なプラスチック材料等の一定の剛性を有する材料が使われ、その構造は、全体として平板状の形状を有し、左右両側部に僅かに（２〜４ミリメートル程度）上方に立ち上がった鍔片６，７が設けられている。また、ケース本体２の上右側部分には打ち抜きにより窓部８が設けられ、この窓部８に対応するようホルダー部材５の該当部位にも窓穴９が設けられている。これらの窓部８及び窓穴９は、携帯電話ケース１に携帯電話を収容したときに携帯電話のカメラレンズ部に対応した部位に設けられており、携帯電話ケース１に携帯電話を収容したままで、携帯電話ｂのカメラ動作を行うことができるようにするためのものである。
【００１５】
また、この場合、携帯電話ケース１は一枚のブランクシートから一体的に打ち抜かれて形成される一枚の紙基材からなる。図２は上記第１の実施の形態に係る携帯電話ケース１の紙基材Ｐを示す展開図る。図２に示すように、この紙基材Ｐは、一方の側部側（この場合、左側）にケース本体２をなす縦長矩形状の帯状のケース本体形状部２Ｐを有し、その右横側に携帯電話ケース１の連結部４をなす縦長の長方形の連結部形状部４Ｐが形成され、この連結部形状部４Ｐの右横側に、携帯電話ケース１の蓋体３をなすケース本体形状部２Ｐと同じ大きさ、形状を有する蓋体形状部３Ｐが形成され、この蓋体形状部３Ｐの右横側に、蓋体形状部３Ｐの内側面に向けて折り返され蓋体形状部３Ｐに接着固定される補強部片３Ｑが順次、第１の折れ線１１、第２の折れ線１２、第３の折れ線１３を介して連続して形成されている。また、補強部片３Ｑの外辺（図２では左端辺）には中央部分が両端縁部よりも幅が狭くなるように一部が切除された切欠部３Ｋが設けられている。
【００１６】
かかる構成の紙基材Ｐは、折れ線１１、１２、１３において折り曲げられ、且つ補強部片３Ｑが蓋体形状部３Ｐの内側面に向けて折り返され蓋体形状部３Ｐに接着固定されて補強部３ａが形成されることにより携帯電話ケース１の外形構造が構成される。補強部片３Ｑが蓋体形状部３Ｐに接着固定される態様には種々の形態があり、その第１は、補強部片３Ｑの内面全体に接着剤を塗って蓋体形状部３Ｐに全面接着する方法がある。第２の方法としては、補強部片３Ｑの内面全体に接着剤を塗らずに、補強部片３Ｑの上縁部と下縁部のみに接着剤を塗って蓋体形状部３Ｐに接着する方法がある。第２の方法の場合、蓋体形状部３Ｐと補強部片３Ｑとの間には切欠部３Ｋにより入口が画成された中空部３Ｌが形成されるから、この中空部３Ｌに各種カード類やその他のシート材を収容保管することが可能となる。さらに、ケース本体２の内面にホルダー部材５が接着その他の方法により取り付けられることにより携帯電話ケース１が出来上がる。
【００１７】
このように紙類を打ち抜いて形成された紙基材Ｐを折り曲げ成形することにより携帯電話ケース１が製作されるため、製作が容易であり、また、材質が紙であることから、環境に負担がかからない携帯電話ケースとすることができる。さらに、蓋体３の裏面には上述のように中空部３Ｌにカード類を収納するのに加えて、メモ用紙を引き剥がし可能に貼付けておくことにより、覚え書きや記帳をすることができる。また、同じく蓋体３の裏面に栞となる部片、例えば「ポストイット（登録商標）」を引き剥がし可能に貼付けておくことにより、書類や書籍の目印として使用することができる。
【００１８】
図３は、本考案が適用された携帯通信装置の第２の実施の形態の外観斜視図である。本第２の実施の形態の携帯電話ケース２１は、ケース本体２２と、ケース本体２の上側方にケース本体２２と一体的に設けられた蓋体２３と、ケース本体２２と蓋体２３との間に所定の厚さ空間を形成或いは確保する連結部２４とを備えて成る。ケース本体２２、蓋体２３、及び連結部２４はボール紙、クラフト紙等の紙類から形成され、この紙類を折り畳み成形することにより携帯電話ケース２１が作られる点は上記第１の実施の形態と同じである。ケース本体２２は、内部に携帯電話を収容し得る二重（ふたえ）狭中空に形成された袋構造を有しており、表面部２５と、表面部２５に対向して配置された背面部２６と、表面部２５と背面部２６の左右両側間に設けられた左側辺部２７及び右側辺部２８と、表面部２５と背面部２６の下辺間に設けられた底辺部２９とを有して成り、袋構造のケース本体２２の上辺には開口３０が形成されている。また、表面部２５の上右側部分には打ち抜きにより切欠部３０が設けられ、この切欠部３０に対応する背面部２６の該当部位には窓穴３１が打ち抜きにより設けられている。
【００１９】
また、この第２の実施の形態においても、携帯電話ケース２１は一枚のブランクシートから一体的に打ち抜かれて形成される一枚の紙基材からなる。図４は上記第２の実施の形態に係る携帯電話ケース２１の紙基材Ｒを示す展開図である。図４に示すように、この紙基材Ｒは、一方の側部側（この場合、左側）にケース本体２２の背面部２６をなす縦長矩形状の背面部形状部２６Ｒを有し、その上側に携帯電話ケース２１の連結部２４をなす横長の長方形の連結部形状部２４Ｒが第３の折れ線３２を介して形成され、さらに連結部形状部２４Ｒの上側に、携帯電話ケース２１の蓋体２３をなすための、背面部形状部２６Ｒと同じ大きさ、形状を有する蓋体形状部２３Ｒが第４の折れ線３３を介して形成されている。また背面部形状部２６Ｒの右横側に、ケース本体２２の右側辺部２８をなす折れ線２８Ｒが形成され、この折れ線２８Ｒの右横側に、ケース本体２２の背面部形状部２６Ｒと同じ大きさで、外形形状もほぼ同じの表面部形状部２５Ｒが形成されている。背面部形状部２６Ｒの左側縁は終端エッジ３４となっており、表面部形状部２５Ｒの右側縁は終端エッジ３５となっている。また背面部形状部２６Ｒの下側縁は終端エッジ３６となっており、表面部形状部２５Ｒの下側縁は終端エッジ３７となっている。
【００２０】
かかる構成の紙基材Ｒは、先ず折れ線２８Ｒにおいて表面部形状部２５Ｒが背面部形状部２６Ｒに覆い被さるように折り曲げられ、且つ背面部形状部２６Ｒの左側縁の終端エッジ３４と、表面部形状部２５Ｒの右側縁の終端エッジ３５が重なって当該エッジ３４，３５部分同士が接着固定される。これと同様に、背面部形状部２６Ｒの下側縁の終端エッジ３６と、表面部形状部２５Ｒの下側縁の終端エッジ３７が重なって当該エッジ３６，３７部分同士が接着固定されることによりケース本体２２が形成される。さらに、第３及び第４の折れ線３２、３３において蓋体形状部２３Ｒが背面部形状部２６Ｒに上縁側から覆い被さるように折り曲げられることにより蓋体２３が整合され、携帯電話ケース２１が出来上がる。
【００２１】
このように紙類を打ち抜いて形成された紙基材Ｒを折り曲げ成形することにより携帯電話ケース２１が製作されるため、製作が容易であり、また、材質が紙であることから、環境に負担がかからない携帯電話ケースとすることができる。なお、メモ用紙や栞部片を貼付けし得る点は上記第１の実施の形態と同様である。
【００２２】
図５は本考案の第２の実施の形態において用いられる携帯電話ケース２１の紙基材Ｒの別の例を示す展開図である。図５の例は、図４に示された例と同様に、ケース本体２２の背面部２６をなす縦長矩形状の背面部形状部２６Ｒを有し、その上側に携帯電話ケース２１の連結部２４をなす横長の長方形の連結部形状部２４Ｒが折れ線３２を介して形成され、さらに連結部形状部２４Ｒの上側に、携帯電話ケース２１の蓋体２３をなす背面部形状部２６Ｒと同じ大きさ、形状を有する蓋体形状部２３Ｒが折れ線３３を介して形成されている。また背面部形状部２６Ｒの右横側に、ケース本体２２の右側辺部２８をなす折れ線２８Ｒが形成され、この折れ線２８Ｒの右横側に、ケース本体２２の背面部形状部２６Ｒと同じ大きさで、外形形状もほぼ同じの表面部形状部２５Ｒが形成されている。しかしながら、図５に示された例は図４に示された例と異なり、表面部形状部２５Ｒの右側縁に携帯電話ケース２１の組み立て時にケース本体２２の左側辺部２７を形成する縦長の帯状の接着片形状部２７Ｒが折れ線３８を介して形成され、また表面部形状部２５Ｒの下側縁には携帯電話ケース２１の組み立て時にケース本体２２の下側辺部２９を形成する横長の帯状の接着片形状部２９Ｒが折れ線３９を介して形成されている。
【００２３】
かかる構成の紙基材Ｒは、先ず折れ線２８Ｒにおいて表面部形状部２５Ｒが背面部形状部２６Ｒに覆い被さるように折り曲げられ、且つ接着片形状部２７Ｒが折れ線３４において表面部形状部２５Ｒの内側面に向けて折り返され背面部形状部２６Ｒの左側縁部に接着固定される一方、接着片形状部２９Ｒが折れ線３５において表面部形状部２５Ｒの内側面に向けて折り返され背面部形状部２６Ｒの下側縁部に接着固定されることによりケース本体２２が形成される。さらに、折れ線３２、３３において蓋体形状部２３Ｒが背面部形状部２６Ｒに上縁側から覆い被さるように折り曲げられることにより蓋体２３が整合され、携帯電話ケース２１が出来上がる。
【００２４】
このように紙類を打ち抜いて形成された紙基材Ｒを折り曲げ成形することにより携帯電話ケース２１が製作されるため、製作が容易であり、また、材質が紙であることから、環境に負担がかからない携帯電話ケースとすることができる。なお、メモ用紙や栞部片を貼付けし得る点は上記第１及び第２の実施の形態と同様である。
【産業上の利用可能性】
【００２５】
本考案による携帯通信装置のケースによれば、紙類を打ち抜いて形成された紙基材を折り曲げ成形することにより製作されるため、製作が容易であり、また、材質が紙であることから、環境にかかる負担を軽くすることができる。
【符号の説明】
【００２６】
１  携帯電話ケース
２  ケース本体
３  蓋体
４  連結部
５  ホルダー部材
６、７  鍔片
８  窓部
９  窓穴
【図１】
0003201721.tif 000003
【図２】
0003201721.tif 000004
【図３】
0003201721.tif 000005
【図４】
0003201721.tif 000006
【図５】
0003201721.tif 000007